(57)【要約】【課題】  簡単な構成で、使用感の維持や被加工材の保護等を可能とする。【解決手段】  インパクトドライバ１０に、先端保護部２と一対の側面保護部４，４とを備えたバンパー１を装着する。すなわち、先端保護部２の貫通孔３にスピンドル１２を貫通させ、そのまま先端保護部２をハウジング１１の先端に被着する。次に、左右の側面保護部４，４をハウジング１１の側面に沿って後方へ伸ばし、透孔５，５を、ハウジング１１の左右両側に突設されたボス１５，１５に夫々嵌合させる。すると、バンパー１はハウジング１１の先端と左右の側面とを覆う状態でハウジング１１に装着される。【選択図】  図２
2005144611.tif 000002
【特許請求の範囲】
【請求項１】
前方にスピンドルを突出させた電動工具のハウジングへ装着される電動工具用バンパーであって、
前記ハウジングへの装着状態で前記スピンドルを除いて前記ハウジングの前方部分を覆う先端保護部と、その先端保護部に延設され、前記ハウジングへの装着状態で前記ハウジングの側面部分を覆う側面保護部とを備えて弾性材料で形成され、前記側面保護部に、前記ハウジングとの結合手段を設けたことを特徴とする電動工具用バンパー。
【請求項２】
結合手段が、ハウジングの側面に突設したブラシ交換部に嵌合可能な透孔である請求項１に記載の電動工具用バンパー。
【請求項３】
前方にスピンドルを突出させたハウジングを有する電動工具であって、前記ハウジングに、請求項１または２に記載のバンパーを装着したことを特徴とする電動工具。
【発明の詳細な説明】
【技術分野】
【０００１】
本発明は、インパクトドライバ等の電動工具に装着される電動工具用バンパーと、そのバンパーを装着した電動工具とに関する。
【背景技術】
【０００２】
インパクトドライバ等、前方にスピンドルを突出させたハウジングを有する電動工具においては、ハウジングが金属や硬質の合成樹脂で形成される。このため、インパクトドライバ等では使用によって高温となるハウジングに触れて不快な思いをしたり、長時間の使用によって手の疲労が増したりすることがある。そこで、特許文献１に開示の如く、ハウジングの表面に、エラストマーを部分的に一体形成して、使用感の向上を図るようにした技術が知られている。
【０００３】
【特許文献１】特開２００３−３９３４６号公報
【発明の開示】
【発明が解決しようとする課題】
【０００４】
エラストマーを形成したものは、形成部分が主にハンドルであるため、使用感の向上には効果的ではあるが、エラストマーを施さないハウジングの前方や側面は金属等が露出しているから、使用中にハウジングが当接して被加工材を傷付けたりするおそれがある。かといってエラストマーの形成部分を広くすると製造コストがかさむ一方、一旦形成したエラストマーは取り除くことができないため、電動工具のデザインが固定化してしまう。
【０００５】
そこで、本発明は、簡単な構成で、使用感の維持と被加工材の保護とが可能となり、電動工具のデザインの変更も容易な電動工具用バンパー及び電動工具を提供することを目的としたものである。
【課題を解決するための手段】
【０００６】
上記目的を達成するために、請求項１に記載の発明は、電動工具用バンパーとして、ハウジングへの装着状態でスピンドルを除いてハウジングの前方部分を覆う先端保護部と、その先端保護部に延設され、ハウジングへの装着状態でハウジングの側面部分を覆う側面保護部とを備えて弾性材料で形成され、側面保護部に、ハウジングとの結合手段を設けたことを特徴とするものである。
請求項２に記載の発明は、請求項１の目的に加えて、ハウジングの既存の構成を利用して電動工具用バンパーの装着を簡単に行うために、結合手段を、ハウジングの側面に突設したブラシ交換部に嵌合可能な透孔としたものである。
上記目的を達成するために、請求項３に記載の発明は、電動工具として、ハウジングに、請求項１または２に記載のバンパーを装着したことを特徴とするものである。
【発明の効果】
【０００７】
請求項１及び３に記載の発明によれば、被加工材の損傷が効果的に防止されると共に、作業者の使用感も損なわずに良好な使い勝手が得られる。また、バンパーは着脱が容易であるから、ハウジングの成形精度に関係なく、既存の電動工具にも簡単に装着して被加工材保護等が期待できる上、色や形状の異なるバンパーを選択して付け替えることで、製品イメージを簡単に変更でき、デザイン性も向上する。勿論、バンパー自体の損傷等にも交換によって容易に対応できる。
請求項２に記載の発明によれば、請求項１の効果に加えて、ハウジングのブラシ交換部を利用して電動工具用バンパーを簡単に装着することができる。
【発明を実施するための最良の形態】
【０００８】
以下、本発明の実施の形態を図面に基づいて説明する。
図１は、電動工具用バンパー（以下単に「バンパー」と言う。）の斜視図で、バンパー１は、エラストマー製で白色半透明の一体成形品で、前端（同図の左側）には、中央に貫通孔３を有し、電動工具のハウジングの先端に装着可能な円錐状の先端保護部２が形成されている。また、先端保護部２の後縁には、一対の帯状の側面保護部４，４が左右対称に連設されている。この側面保護部４，４の後端には、結合手段としての透孔５，５が夫々穿設されている。
【０００９】
以上の如く構成されたバンパー１は、前方へ行く程先細りとなるハウジングの先端にスピンドルを突出させた電動工具、例えばインパクトドライバやインパクトレンチ等の電動工具に装着される。図２及び図３は、インパクトドライバ１０にバンパー１を装着した状態を示すもので、このインパクトドライバ１０は、モータや減速機構を内蔵した先細りのハウジング１１の先端にスピンドル１２を突出させ、ハウジング１１の下方に、バッテリーパック１３を装着したハンドル１４を延設してなる。よって、このインパクトドライバ１０にバンパー１を装着する場合、まず先端保護部２の貫通孔３にスピンドル１２を貫通させ、そのまま先端保護部２をハウジング１１の先端に嵌着する。次に、左右の側面保護部４，４をハウジング１１の側面に沿って後方へ伸ばし、透孔５，５を、ハウジング１１の左右両側に突設されたブラシ交換部としてのボス１５，１５に夫々嵌合させる。すると、同図に示すように、バンパー１はハウジング１１の先端と左右の側面とを覆う状態で装着される。
【００１０】
よって、インパクトドライバ１０を使用してネジ締め作業を行う際、誤ってハウジング１１の先端を被加工材にぶつけても、先端保護部２によって被加工材の損傷が防止される。また、作業者がハウジング１１に手を添えて作業を行うような場合に、ハウジング１１の温度が高くなっていても、側面保護部４，４によってハウジング１１を直接触れないで済む。さらに、インパクトドライバ１０を横向きにして置いた場合には、側面保護部４のみが床面等に接触するため、被加工材の上にインパクトドライバ１０を置いても、インパクトドライバ１０が滑ったり、被加工材を傷付けたりすることがない。
【００１１】
なお、透孔５，５は、側面保護部４をやや後方に引っ張らないとボス１５，１５に嵌合しない寸法設定となっているため、この装着状態では側面保護部４，４はハウジング１１の側面に密着し、塵埃等の侵入や脱却のおそれはない。また、バンパー１の装着状態でもボス１５内のブラシキャップ１６は露出しているので、ブラシの着脱に支障は生じない。
一方、バンパー１を取り外す際は、上記手順と逆に、側面保護部４，４の後端をハウジング１１から引き起こして透孔５，５をボス１５，１５から抜き取り、そのままバンパー１を前方へ移動させて先端保護部２をハウジング１１から外し、最後にスピンドル１２から抜き取ればよい。
【００１２】
このように上記形態のバンパー１及びバンパー１を装着したインパクトドライバ１０によれば、被加工材の損傷が効果的に防止されると共に、作業者の使用感も損なわずに良好な使い勝手が得られる。また、バンパー１は着脱が容易であるから、ハウジング１１の成形精度に関係なく、既存の電動工具にも簡単に装着して被加工材保護等が期待できる上、色や形状の異なるバンパーを選択して付け替えることで、製品イメージを簡単に変更でき、デザイン性も向上する。勿論、バンパー自体の損傷等にも交換によって容易に対応できる。
また、結合手段を、ハウジング１１の側面に突設したボス１５，１５に嵌合可能な透孔５，５としているから、ハウジング１１の既存の構成を利用してバンパー１の装着が簡単に行える。
【００１３】
なお、バンパーの形状は上記形態に限定するものではなく、先端保護部では、後縁をさらに後方にしてハウジングの先端部分を覆う面積をより広くしたり、側面保護部は帯状の幅をさらに広くしてハウジングの側面を覆う面積を広くしたりできる。また、側面保護部同士を接続する接続部をハウジングの周方向に延設しても差し支えない。すなわち、装着する電動工具の形状に合わせて、先端保護部や側面保護部の形状は適宜変更可能である。
さらに、バンパーは、着色や印刷によってデザイン性を高めたりすることもできるが、上記形態のように半透明や透明のものとすると、ハウジングの側面に設けたネームプレートや社定マーク等を視認可能としつつ側面保護部によって保護できる。
その他、成形材料としてはエラストマー以外の軟質合成樹脂を採用しても良い。
【００１４】
そして、バンパーを装着する電動工具は、インパクトドライバに限らず、バンパーが装着可能なハウジングであれば、インパクトレンチや電動ドライバ、電動ドリル、電動ドライバドリル等でも差し支えない。また、ハウジングにおいては、バンパーの装着部位を凹面にして、バンパーの位置ズレ防止を図るようにしても良い。勿論この位置ズレ防止は、ハウジングの表面に設けた凹部（透孔も含む）とバンパーの裏面に設けたリブ等の凸部との嵌合によって図ることもできる。なお、この凹凸は逆にしても良い。
【図面の簡単な説明】
【００１５】
【図１】バンパーの斜視図である。
【図２】バンパーを装着したインパクトドライバの斜視図である。
【図３】バンパーの断面図である。
【符号の説明】
【００１６】
１・・バンパー、２・・先端保護部、４・・側面保護部、５・・透孔、１０・・インパクトドライバ、１１・・ハウジング、１２・・スピンドル、１５・・ボス。
【図１】
2005144611.tif 000003
【図２】
2005144611.tif 000004
【図３】
2005144611.tif 000005